(57)【要約】      （修正有）【課題】レンズの大型化を招くことなくズーム群の一部をフォーカス群として駆動することのできるレンズ装置を提供する。【解決手段】第１群に変倍時固定のレンズ群、第２群に変倍時可動のレンズ群を有し、第１群の一部又は全体を第１フォーカス部、第２群の一部をフローティング部とし、焦点調整の際に第１フォーカス部とフローティング部とを同時に駆動させるレンズ装置において、第１フォーカスレンズ保持枠２１は、フォーカス操作環４に連動する駆動機構により移動し、フローティングレンズ保持枠２２は、ズームレンズ保持枠２３に螺合する螺合部２２ａと、フォーカス連結環６の案内溝４２に係合するカムフォロワ５２とを有し、フォーカス連結環６の回動に伴って第１フォーカスレンズ保持枠２１と同時に移動する。【選択図】図１
2018025578.tif 000002
【特許請求の範囲】
【請求項１】
第1群に変倍時固定のレンズ群、第2群に変倍時可動のレンズ群を有し、
前記第1群の一部又は全体を第1フォーカス部とし、前記第2群の一部をフローティング部とし、
焦点調整の際に前記第1フォーカス部と前記フローティング部を同時に駆動させるレンズ装置において、
前記第1フォーカス部を保持する第1フォーカスレンズ保持枠は、フォーカス操作環の回動に連動する駆動機構により光軸方向へ沿って移動し、
前記フローティング部を保持するフローティングレンズ保持枠は、前記第2群を保持する第2レンズ保持枠に螺合する螺合部と、光軸周りに回動自在で固定筒に係合され、前記フォーカス操作環に連結されたフォーカス連結環に設けられた案内溝に係合する係合部とを有し、前記フォーカス連結環の回動に伴って前記第1フォーカスレンズ保持枠と同時に光軸方向へ移動することを特徴とするレンズ装置。
【請求項２】
前記駆動機構は、カム機構、ヘリコイド機構であることを特徴とする請求項1に記載のレンズ装置。
【請求項３】
前記第2レンズ保持枠は、前記フォーカス連結環を逃げるための切り欠き部を有することを特徴とする請求項1または2に記載のレンズ装置。
【発明の詳細な説明】
【技術分野】
【０００１】
本発明は、レンズ装置に関し、特にフォーカスフローティング機構を用いたレンズ装置に関するものである。
【背景技術】
【０００２】
従来、焦点調整の際の収差変動を良好に補正するため、ズームレンズを構成する複数ユニットのうち2つを同時に光軸方向へ移動させて焦点調整を行う所謂フローティングフォーカス方式を採用したズームレンズが種々提案されている。例えば、第1フォーカス群とは別に、ズーム群の一部を第2フォーカス群として、焦点調整の際に第1と第2のフォーカス群が同時に光軸方向に沿って移動するレンズ装置などがある。そして、このようなズーム群の一部をフォーカス群として駆動するための構造として、次のような提案が開示されている。
【０００３】
特許文献1では、ズーム群とフォーカス群を含む光学系が、変倍の際にはカム機構で駆動し、焦点調整の際にはアクチュエータで駆動する提案が開示されている。特許文献2では、ズーム群保持枠に周溝、フォーカス群保持枠外周にカム溝を設け、フォーカス操作環と連動する伝達ロッドと、その回動をフォーカス群保持枠に伝達する伝達環を用いる提案が開示されている。
【先行技術文献】
【特許文献】
【０００４】
【特許文献１】特許第４９５５７６１号公報
【特許文献２】特開２０１０−１９７６２２号公報
【発明の概要】
【発明が解決しようとする課題】
【０００５】
しかしながら、上述の特許文献1では、焦点調整の際にフォーカス群をアクチュエータにより駆動しているため、アクチュエータの配置や保持構造など、構造の複雑化を伴うとともに、コスト増加にもつながる。
【０００６】
特許文献2では、フォーカス動作のために、案内軸、伝達ロッド、伝達環を構成するため、部品点数が増加してしまう。また、ズームストロークが長いレンズを想定した場合、伝達環が長尺化し、伝達環を逃げるスペースが必要となるとともに、レンズの光軸方向の長尺化やそれに伴う部品質量の増加につながる。
【０００７】
そこで、本発明の目的は、アクチュエータを使用することなく、シンプルな構造で、レンズの大型化を招くことなくズーム群の一部をフォーカス群として駆動することのできるレンズ装置を提供することである。
【課題を解決するための手段】
【０００８】
上記目的を達成するために、本発明は、第1群に変倍時固定のレンズ群、第2群に変倍時可動のレンズ群を有し、前記第1群の一部又は全体を第1フォーカス部とし、第2群の一部をフローティング部とし、焦点調整の際に前記第1フォーカス部と前記フローティング部を同時に駆動させるレンズ装置において、前記第1フォーカス部を保持する第1フォーカスレンズ保持枠は、フォーカス操作環の回動に連動する駆動機構により光軸方向へ沿って移動し、前記フローティング部を保持するフローティングレンズ保持枠は、前記第2群を保持する第2レンズ保持枠に螺合する螺合部と、光軸周りに回動自在で固定筒に係合され、前記フォーカス操作環に連結されたフォーカス連結環に設けられた案内溝に係合する係合部とを有し、前記フォーカス連結環の回動に伴って光軸方向へ前記第1フォーカスレンズ保持枠と同時に移動することを特徴とする。
【発明の効果】
【０００９】
本発明によれば、アクチュエータを使用することなく、シンプルな構造で、レンズの大型化を招くことなくズーム群の一部をフォーカス群として駆動することのできるレンズ装置を提供することができる。
【図面の簡単な説明】
【００１０】
【図１】レンズ装置の各レンズ保持枠が至近、広角端に位置したときの断面図
【図２】レンズ装置の各レンズ保持枠が至近、広角端に位置したときの斜視図
【図３】レンズ装置の各レンズ保持枠が至近、望遠端に位置したときの斜視図
【図４】レンズ装置の各レンズ保持枠が無限、望遠端に位置したときの斜視図
【発明を実施するための形態】
【００１１】
以下に、本発明の好ましい実施の形態を、添付の図面に基づいて詳細に説明する。図１は、本実施例におけるレンズ装置1が、至近、広角端に位置したときの断面図を示している。図2は、本実施例におけるレンズ装置1が、至近、広角端に位置したときの斜視図を示している。図3は、本実施例におけるレンズ装置1が、至近、望遠端に位置したときの斜視図を示している。図4は、本実施例におけるレンズ装置1が、無限、望遠端に位置したときの斜視図を示している。
【００１２】
図1、2、3を参照して、ズーム部の機構について説明する。レンズ装置1は、複数のレンズ群が含まれ、ズーム部の前後には、前玉固定群10や第1フォーカス群11、不図示のリレーレンズ群が配置される。フローティングレンズ群12、ズームレンズ群13、14は、それぞれレンズ保持枠22、23、24に保持される。ズームレンズ保持枠23には、フォーカス連結環6を逃げるための切り欠き部23bが付設されている。フローティングレンズ保持枠22、ズームレンズ保持枠23には、螺合する螺合部22a、23aがそれぞれ設けられ、螺合される。
【００１３】
カム筒3には、ズームレンズ保持枠23、24の光軸100方向の軌跡を描いたカム溝33、34が付設されており、カム筒3は固定筒2の内側で光軸100周りに回動自在に配置されている。固定筒2には、ズームレンズ保持枠23、24を光軸100方向に沿って摺動可能にさせる案内溝43、44が付設されている。ズームレンズ保持枠23、24には、固定筒2に設けられた案内溝43、44と、カム筒3に設けられたカム溝33、34に係合するカムフォロワ53、54が、光軸100周りに複数付設されている。ズーム操作環5は、光軸100周りに回動自在で固定筒2に嵌合し、連結ピン9を介してカム筒3に連結されている。
【００１４】
ズーム操作環5を回動することにより、カム筒3も回動し、ズームレンズ保持枠23、24がカム溝33、34と案内溝43、44とによる直進案内作用によって、光軸100方向に所定の軌道に沿って前後移動する。その際、フローティングレンズ保持枠22は、ズームレンズ保持枠23に螺合しているため、ズーム操作環5の回動により、ズームレンズ保持枠23と共に光軸100方向に沿って前後移動する。このように、フローティングレンズ保持枠22、ズームレンズ保持枠23、24が、図2、3に示される広角端から望遠端へ光軸100方向に沿って移動し、レンズ間隔を変化させることにより、ズーム動作を行う。
【００１５】
次に、図1、3、4を参照して、フォーカス部の機構について説明する。第1フォーカスレンズ群11は、第1フォーカスレンズ保持枠21に保持される。第1フォーカスレンズ保持枠21は、固定筒2と螺合される。フォーカス連結環6には、フローティングレンズ群を光軸100方向に沿って案内する案内溝42が付設されており、固定筒2の内側で光軸100周りに回動自在に配置されている。また、フォーカス連結環6の内側には、レンズ内反射によるフレアやゴーストを防止するため、斜光溝60が付設されている。ズームレンズ保持枠23に螺合されたフローティングレンズ保持枠22には、フォーカス連結環6に設けられた案内溝42に係合するカムフォロワ52が付設されている。
【００１６】
フォーカス操作環4は、光軸100周りに回動自在で固定筒2に嵌合し、連結ピン7、8を介して、それぞれフォーカス連結環6、第1フォーカスレンズ保持枠21に連結されている。フォーカス操作環4を光軸100周りに回動することにより、連結ピン7、8で連結されたフォーカス連結環6、第1フォーカスレンズ保持枠21が回動する。そして、フォーカス連結環6の案内溝42と、カムフォロワ52で連結されているフローティングレンズ保持枠22もフォーカス操作環4の回動と共に回動する。
【００１７】
第1フォーカスレンズ保持枠21とフローティングレンズ保持枠22が回動することにより、第1フォーカスレンズ保持枠21とフローティングレンズ保持枠22は、それぞれの螺合部のピッチに従い、光軸100方向に沿って同時に前後移動する。このように第1フォーカスレンズ保持枠21とフローティングレンズ保持枠22が、図3、4に示される至近から無限へ光軸100方向に沿って移動し、レンズ間隔を変化させることにより、フォーカス動作を行う。
【００１８】
以上のように、本実施例によれば、フローティングレンズ群を、変倍の際にはズームレンズ群と共に追従させ、焦点調整の際には第1フォーカスレンズ群と共に追従させることが可能となる。そして、アクチュエータを使用せず、シンプルな構造で、レンズの大型化を招くことなくズーム群の一部をフォーカス群として駆動することができる。
【００１９】
以上、本発明の好ましい実施形態について説明したが、本発明はこれらの実施形態に限定されず、その要旨の範囲内で種々の変形及び変更が可能である。
【符号の説明】
【００２０】
1：          レンズ装置
2：          固定筒
4：          フォーカス操作環
6：          フォーカス連結環
21：         第1フォーカスレンズ保持枠
22：         フローティングレンズ保持枠
23、24：     ズームレンズ保持枠
22a、23a：   螺合部
42、43、44： 案内溝
52、53、54： カムフォロワ
【図１】
2018025578.tif 000003
【図２】
2018025578.tif 000004
【図３】
2018025578.tif 000005
【図４】
2018025578.tif 000006